(57)【要約】【課題】コネクタハウジングから不意に脱落することを防止できるコネクタ用電線カバー及びこのコネクタ用電線カバーを備えたコネクタを提供する。【解決手段】コネクタ１はコネクタハウジング１２と圧接端子８とコネクタ用電線カバー１３を備えている。圧接端子８はコネクタハウジング１２の端子収容溝１５内に収容される。コネクタ用電線カバー１３はコネクタハウジング１２に取り付けられる。コネクタ用電線カバー１３はカバー本体２０と一対のカバー３９を備えている。カバー本体２０には電線逃がし部２４が設けられている。一対のカバー３９はヒンジ４０を介してカバー本体３９に回転自在に連なっている。【選択図】図１
2006073326.tif 000002
【特許請求の範囲】
【請求項１】
コネクタハウジングに取り付けられて該コネクタハウジング内の端子金具に取り付けられた電線の外周を覆うコネクタ用電線カバーにおいて、
前記コネクタハウジングに取り付けられるカバー本体と、
このカバー本体に連なり、かつ前記コネクタハウジングに取り付けられると、前記カバー本体とともに電線の外周を覆うカバー部と、
前記カバー本体に設けられかつ前記電線を束ねて、前記電線をカバー本体外に逃がす樋状の電線逃がし部と、
を備えたことを特徴とするコネクタ用電線カバー。
【請求項２】
前記電線逃がし部は、
樋状に形成されて、前記電線を収容する電線案内部と、
前記樋状の電線案内部の互いに相対する内縁部より互いに近づく方向に突出し、かつ互いの間の電線が通されることで、該電線を前記電線案内部に位置付ける一対の内縁突起と、を備え、
前記内縁突起同士が最も近づく頂部が曲面に形成されていることを特徴とする請求項１記載のコネクタ用電線カバー。
【請求項３】
前記内縁突起の前記頂部より電線逃がし部の内側に位置しかつ前記頂部と前記内縁部とに連なる第１の傾斜面は、前記内縁突起の前記頂部より電線逃がし部の外側に位置しかつ前記頂部と前記内縁部とに連なる第２の傾斜面より、前記電線を前記電線案内部内に挿入する方向に対し傾斜していることを特徴とする請求項２記載のコネクタ用電線カバー。
【請求項４】
前記カバー部は、前記カバー本体にヒンジを介して回転自在に連結された一対のカバーを備え、
前記カバーを前記コネクタハウジングとに取り付けると、前記カバーが前記電線逃がし部の電線案内部内に侵入して、該電線案内部とともに前記電線の外周を覆うとともに、
前記電線案内部の互いに相対する内縁部から該内縁部が互い近づく方向に突出した係止突起と、前記カバーの前記電線案内部に侵入する端部に設けられ前記係止突起に係止する係止受け突起と、を備え、
前記カバーが前記電線案内部とともに前記電線の外周を覆うと、前記係止突起と、前記係止受け突起とが互いに係止することを特徴とする請求項２又は請求項３記載のコネクタ用電線カバー。
【請求項５】
前記カバー本体の前記ヒンジ寄りの端部から突出した支え突起を備え、
前記カバーを前記コネクタハウジングに取り付けると、前記支え突起が前記カバーのヒンジ寄りの端部と重なることを特徴とする請求項４記載のコネクタ用電線カバー。
【請求項６】
前記カバー本体は、前記コネクタハウジング内の端子金具の長手方向と交差する方向に沿ってスライドすることで、前記コネクタハウジングに取り付けられる取付部を備え、
前記取付部は、前記コネクタハウジング内の端子金具の長手方向と交差する方向に沿って互いに平行な平行部と、前記平行部同士を連結する連結部と、を備えて、コ字状に形成されており、前記平行部間に前記コネクタハウジングを位置付けて、前記コネクタハウジング内の端子金具の長手方向と交差する方向に沿ってスライドして、前記コネクタハウジングに前記カバー本体を取り付けることを特徴とする請求項１ないし請求項５のうちいずれか一項に記載のコネクタ用電線カバー。
【請求項７】
前記平行部は、前記連結部より長いことを特徴とする請求項６に記載のコネクタ用電線カバー。
【請求項８】
前記カバー本体は、一端が前記電線逃がし部に連なりかつ他端が前記取付部に連なる補強リブを備えたことを特徴とする請求項６又は請求項７記載のコネクタ用電線カバー。
【請求項９】
前記カバー本体は、前記電線逃がし部の外周に設けられ、この電線逃がし部に電線を結束するバンドを取り付けるバンド取付部を備えたことを特徴とする請求項１ないし請求項８のうちいずれか一項に記載のコネクタ用電線カバー。
【請求項１０】
前記カバー本体は、前記電線逃がし部の外周に設けられ、この電線逃がし部に電線を結束するバンドを取り付けるバンド取付部を備え、
このバンド取付部を、前記補強リブに設けたことを特徴とする請求項８に記載のコネクタ用電線カバー。
【請求項１１】
コネクタハウジングと、
このコネクタハウジングに取り付けられる請求項１ないし請求項１０のうちいずれか一項に記載のコネクタ用電線カバーと、を備えたことを特徴とするコネクタ。
【発明の詳細な説明】
【技術分野】
【０００１】
本発明は、電線の接続等に使用されるコネクタハウジングに取り付けられるコネクタ用電線カバー及び該コネクタ用電線カバーを備えたコネクタに関する。
【背景技術】
【０００２】
移動体としての自動車には、搭載される種々のランプや種々のモータなどの電子機器にバッテリなどの電源から電力を供給するためにワイヤハーネスが配索されている。前記ワイヤハーネスは、複数の電線と、これらの電線それぞれの端部に取り付けられたコネクタ（例えば、特許文献１参照）などを備えている。
【０００３】
電線は、導電性の芯線と、絶縁性の被覆部とを備えた所謂被覆電線である。コネクタは、導電性の端子金具と、絶縁性の絶縁体としてのコネクタハウジングと、コネクタ用電線カバーを備えている。端子金具は、導電性の板金を折り曲げて形成され、電線の端末に取り付けられて該電線の芯線と電気的及び機械的に接続する。
【０００４】
コネクタハウジングは、絶縁性の合成樹脂からなり箱状に形成されている。コネクタハウジングには、端子収容室が複数設けられている。端子収容室は、コネクタハウジングを貫通した空間である。端子収容室は、端子金具を収容する。
【０００５】
コネクタ用電線カバーは、一対のカバー部材を備えている。これら一対のカバー部材は、側方からみてコ字状に形成されている。一対のカバー部材は、コネクタハウジングの電線が導出する端部を互いの間に挟み込む格好で、コネクタハウジングに取り付けられる。また、カバー部材には、互いに取り付けられると、前記端子金具に取り付けられた電線を外部に逃がす逃がし孔が形成されている。該逃がし孔は、一対のカバー部材が互いに取り付けられると、一つの孔を構成する。則ち、カバー部材それぞれに逃がし孔の一部が設けられている。
【０００６】
前述した構成のコネクタは、以下のように組み立てられる。電線の端末に端子金具が取り付けられ、端子金具を端子収容室に挿入する。そして、一対のカバー部材則ちコネクタ用電線カバーをコネクタハウジングに取り付ける。こうして組み立てられたコネクタを前述した電子機器のコネクタに嵌合するなどして、前述したワイヤハーネスを自動車に配索する。そして、ワイヤハーネスは、前述した電子機器に必要な信号や電力を供給する。
【特許文献１】特開平１０−２７６４６号公報
【発明の開示】
【発明が解決しようとする課題】
【０００７】
前述したコネクタは、コネクタ用電線カバーを構成する一対のカバー部材それぞれに電線を外部に逃がす逃がし孔の一部が形成されている。このため、コネクタ用電線カバーの一対のカバーをコネクタハウジングに取り付けると、電線を逃がす逃がし孔が、一対のカバー部材によって分割された格好となっている。
【０００８】
このため、電線が逃がし孔を拡げる方向にカバー部材を押圧すると、前記一対のカバー部材同士が不意に分離して、これらのカバー部材則ちコネクタ用電線カバーがコネクタハウジングから不意に脱落する虞があった。
【０００９】
したがって、本発明の目的は、コネクタハウジングから不意に脱落することを防止できるコネクタ用電線カバー及びコネクタ用電線カバーを備えたコネクタを提供することにある。
【課題を解決するための手段】
【００１０】
前記課題を解決し目的を達成するために、請求項１に記載の本発明のコネクタ用電線カバーは、コネクタハウジングに取り付けられて該コネクタハウジング内の端子金具に取り付けられた電線の外周を覆うコネクタ用電線カバーにおいて、前記コネクタハウジングに取り付けられるカバー本体と、このカバー本体に連なり、かつ前記コネクタハウジングに取り付けられると、前記カバー本体とともに電線の外周を覆うカバー部と、前記カバー本体に設けられかつ前記電線を束ねて、前記電線をカバー本体外に逃がす樋状の電線逃がし部と、を備えたことを特徴としている。
【００１１】
請求項２に記載の本発明のコネクタ用電線カバーは、請求項１に記載のコネクタ用電線カバーにおいて、前記電線逃がし部は、樋状に形成されて、前記電線を収容する電線案内部と、前記樋状の電線案内部の互いに相対する内縁部より互いに近づく方向に突出し、かつ互いの間の電線が通されることで、該電線を前記電線案内部に位置付ける一対の内縁突起と、を備え、前記内縁突起同士が最も近づく頂部が曲面に形成されていることを特徴としている。
【００１２】
請求項３に記載の本発明のコネクタ用電線カバーは、請求項２に記載のコネクタ用電線カバーにおいて、前記内縁突起の前記頂部より電線逃がし部の内側に位置しかつ前記頂部と前記内縁部とに連なる第１の傾斜面は、前記内縁突起の前記頂部より電線逃がし部の外側に位置しかつ前記頂部と前記内縁部とに連なる第２の傾斜面より、前記電線を前記電線案内部内に挿入する方向に対し傾斜していることを特徴としている。
【００１３】
請求項４に記載の本発明のコネクタ用電線カバーは、請求項２又は請求項３に記載のコネクタ用電線カバーにおいて、前記カバー部は、前記カバー本体にヒンジを介して回転自在に連結された一対のカバーを備え、前記カバーを前記コネクタハウジングとに取り付けると、前記カバーが前記電線逃がし部の電線案内部内に侵入して、該電線案内部とともに前記電線の外周を覆うとともに、前記電線案内部の互いに相対する内縁部から該内縁部が互い近づく方向に突出した係止突起と、前記カバーの前記電線案内部に侵入する端部に設けられ前記係止突起に係止する係止受け突起と、を備え、前記カバーが前記電線案内部とともに前記電線の外周を覆うと、前記係止突起と、前記係止受け突起とが互いに係止することを特徴としている。
【００１４】
請求項５に記載の本発明のコネクタ用電線カバーは、請求項４に記載のコネクタ用電線カバーにおいて、前記カバー本体の前記ヒンジ寄りの端部から突出した支え突起を備え、前記カバーを前記コネクタハウジングに取り付けると、前記支え突起が前記カバーのヒンジ寄りの端部と重なることを特徴としている。
【００１５】
請求項６に記載の本発明のコネクタ用電線カバーは、請求項１ないし請求項５のうちいずれか一項に記載のコネクタ用電線カバーにおいて、前記カバー本体は、前記コネクタハウジング内の端子金具の長手方向と交差する方向に沿ってスライドすることで、前記コネクタハウジングに取り付けられる取付部を備え、前記取付部は、前記コネクタハウジング内の端子金具の長手方向と交差する方向に沿って互いに平行な平行部と、前記平行部同士を連結する連結部と、を備えて、コ字状に形成されており、前記平行部間に前記コネクタハウジングを位置付けて、前記コネクタハウジング内の端子金具の長手方向と交差する方向に沿ってスライドして、前記コネクタハウジングに前記カバー本体を取り付けることを特徴としている。
【００１６】
請求項７に記載の本発明のコネクタ用電線カバーは、請求項６に記載のコネクタ用電線カバーにおいて、前記平行部は、前記連結部より長いことを特徴としている。
【００１７】
請求項８に記載の本発明のコネクタ用電線カバーは、請求項６又は請求項７に記載のコネクタ用電線カバーにおいて、前記カバー本体は、一端が前記電線逃がし部に連なりかつ他端が前記取付部に連なる補強リブを備えたことを特徴としている。
【００１８】
請求項９に記載の本発明のコネクタ用電線カバーは、請求項１ないし請求項８のうちいずれか一項に記載のコネクタ用電線カバーにおいて、前記カバー本体は、前記電線逃がし部の外周に設けられ、この電線逃がし部に電線を結束するバンドを取り付けるバンド取付部を備えたことを特徴としている。
【００１９】
請求項１０に記載の本発明のコネクタ用電線カバーは、請求項８に記載のコネクタ用電線カバーにおいて、前記カバー本体は、前記電線逃がし部の外周に設けられ、この電線逃がし部に電線を結束するバンドを取り付けるバンド取付部を備え、このバンド取付部を、前記補強リブに設けたことを特徴としている。
【００２０】
請求項１１に記載の本発明のコネクタは、コネクタハウジングと、このコネクタハウジングに取り付けられる請求項１ないし請求項１０のうちいずれか一項に記載のコネクタ用電線カバーと、を備えたことを特徴としている。
【００２１】
請求項１に記載された本発明のコネクタ用電線カバーによれば、電線をコネクタ用カバー外に逃がす樋状の電線逃がし部が、カバー本体に設けられている。このため、電線逃がし部が複数の部材により分割されていない。
【００２２】
請求項２に記載された本発明のコネクタ用電線カバーによれば、電線を電線逃がし部の電線案内部に出し入れする際に互いの間に電線が通される内縁突起の頂部が曲面に形成されている。このため、電線を内縁突起間に通す際に、電線が内縁突起に接触しても、該電線が傷つくことを防止できる。
【００２３】
請求項３に記載された本発明のコネクタ用電線カバーによれば、内側に位置する第１の傾斜面が外側に位置する第２の傾斜面より、電線を電線案内部に挿入する方向に対し傾いているので、電線案内部に挿入された電線が、内縁突起間を通って、電線逃がし部外に抜けでることを防止できる。また、第２の傾斜面が、第１の傾斜面より電線を電線案内部に挿入する方向に対し傾いていないので、内縁突起間を通して電線を電線逃がし部内に挿入し易くなっている。
【００２４】
請求項４に記載された本発明のコネクタ用電線カバーによれば、カバー部のカバーをカバー本体に取り付けると、該カバーが電線逃がし部とともに電線の外周を覆う。このため、カバー部のカバーをカバー本体に取り付けると、電線が電線逃がし部内から抜け出ることを防止できる。
【００２５】
請求項５に記載された本発明のコネクタ用電線カバーによれば、カバー部のカバーをカバー本体に取り付けると、カバー本体に設けられた支え突起にカバーが重なる。このため、カバー同士が必要以上に近づくことを防止できる。
【００２６】
請求項６に記載された本発明のコネクタ用電線カバーによれば、取付部が平行部と連結部とを備えてコ字状に形成されており、コネクタハウジング内の端子金具に交差する方向に沿ってスライドすることでカバー本体をコネクタハウジングに取り付ける。取付部がコ字状に形成されているので、取付部則ちカバー本体を確実にコネクタハウジングに取り付けることができる。また、コネクタハウジングに取り付けれたカバー本体が不意に脱落することを防止できる。
【００２７】
請求項７に記載された本発明のコネクタ用電線カバーによれば、平行部が連結部より長いので、取付部則ちカバー本体をより確実にコネクタハウジングに取り付けることができるとともに、コネクタハウジングに取り付けれたカバー本体が不意に脱落することをより確実に防止できる。
【００２８】
請求項８に記載された本発明のコネクタ用電線カバーによれば、カバー本体が電線逃がし部と取付部とに連なる補強リブを備えている。このため、カバー本体の剛性を高めることができる。
【００２９】
請求項９に記載された本発明のコネクタ用電線カバーによれば、電線逃がし部の外周にバンドを取り付けるバンド取付部を設けている。このため、バンドをカバー本体に取り付けたままカバー本体則ちコネクタ用電線カバーをコネクタハウジングに着脱できる。
【００３０】
請求項１０に記載された本発明のコネクタ用電線カバーによれば、電線逃がし部の外周にバンドを取り付けるバンド取付部を設けている。このため、バンドをカバー本体に取り付けたままカバー本体則ちコネクタ用電線カバーをコネクタハウジングに着脱できる。また、バンド取付部を補強リブに設けているので、コネクタ用電線カバーの小型化を図ることができる。
【００３１】
請求項１１に記載された本発明のコネクタによれば、電線のコネクタ用カバー外に逃がす樋状の電線逃がし部が、カバー本体に設けられている。このため、電線逃がし部が複数の部材により分割されていない。
【発明の効果】
【００３２】
以上説明したように請求項１に記載の本発明は、電線逃がし部が複数の部材により分割されていないため、電線などが電線逃がし部を押圧しても、カバー本体則ちコネクタ用電線カバーがコネクタハウジングに取り付けられたままとなる。したがって、カバー本体則ちコネクタ用電線カバーがコネクタハウジングから脱落することを防止できる。
【００３３】
請求項２に記載の本発明は、電線を内縁突起間に通す際に、電線が内縁突起に接触しても、該電線が傷つくことを防止できる。したがって、電線の不意な破損を防止できる。
【００３４】
請求項３に記載の本発明は、第２の傾斜面が第１の傾斜面より傾いているので、電線案内部に挿入された電線が、内縁突起間を通って、電線逃がし部外に抜けでることを防止できる。また、第２の傾斜面が第１の傾斜面より傾いていないので、内縁突起間を通して電線を電線逃がし部内に挿入し易くなっている。したがって、電線逃がし部内に電線を挿入しやすいとともに、電線逃がし部内から電線が不意に脱落することを確実に防止できる。
【００３５】
請求項４に記載の本発明は、カバー部のカバーをカバー本体に取り付けると、該カバーが電線逃がし部とともに電線の外周を覆うので、電線が電線逃がし部内から抜け出ることを防止できる。
【００３６】
請求項５に記載の本発明は、カバー同士が必要以上に近づくことを防止できる。したがって、コネクタハウジングに取り付けられた時の過度な変形を防止でき、コネクタハウジングに取り付けられた際に変形して、コネクタハウジングから不意に脱落することを防止できる。
【００３７】
請求項６に記載の本発明は、取付部がコ字状に形成されているので、取付部則ちカバー本体を確実にコネクタハウジングに取り付けることができる。また、コネクタハウジングに取り付けられたカバー本体が不意に脱落することを防止できる。
【００３８】
請求項７に記載の本発明は、平行部が連結部より長いので、取付部則ちカバー本体をより確実にコネクタハウジングに取り付けることができるとともに、コネクタハウジングに取り付けれたカバー本体が不意に脱落することをより確実に防止できる。
【００３９】
請求項８に記載の本発明は、カバー本体が電線逃がし部と取付部とに連なる補強リブを備えている。このため、カバー本体の剛性を高めることができ、カバー本体の過度な変形を防止して、カバー本体則ちコネクタ用電線カバーがコネクタから不意に脱落する事を防止できる。
【００４０】
請求項９に記載の本発明は、電線逃がし部の外周にバンドを取り付けるバンド取付部を設けている。このため、バンドをカバー本体に取り付けたままカバー本体則ちコネクタ用電線カバーをコネクタハウジングに着脱できる。
【００４１】
請求項１０に記載の本発明は、電線逃がし部の外周にバンドを取り付けるバンド取付部を設けている。このため、バンドをカバー本体に取り付けたままカバー本体則ちコネクタ用電線カバーをコネクタハウジングに着脱できる。また、バンド取付部を補強リブに設けているので、コネクタ用電線カバーの小型化を図ることができる。
【００４２】
請求項１１に記載の本発明は、請求項１ないし請求項１０のうちいずれか一項に記載のコネクタ用電線カバーを備えているので、カバー本体則ちコネクタ用電線カバーがコネクタハウジングから脱落することを防止できる。
【発明を実施するための最良の形態】
【００４３】
本発明の一実施形態にかかるコネクタ１を、図１ないし図１２に基づいて説明する。コネクタ１は、図１に示すように、相手側のコネクタ２と嵌合する。
【００４４】
相手側のコネクタ２は、図１に示すように、コネクタハウジング４と、複数の端子金具５とを備えている。コネクタハウジング４は、絶縁性の合成樹脂からなり有底筒状に形成されている。コネクタハウジング４は、図示しない印刷配線板に取り付けられる。また、コネクタハウジング４の内面には、コネクタ１と嵌合用の図示しないロック突起が設けられている。
【００４５】
端子金具５は、導電性の金属からなり棒状に形成されている。端子金具５は、側方からみてく字状をなすように、中央で屈曲されている。端子金具５は、一端部がコネクタハウジング４内に位置し、他端部が印刷配線板の導体パターンと電気的及び機械的に接続している。
【００４６】
コネクタ１は、図１に示すように、カバー６と、プレート状ハウジング７と、端子金具としての圧接端子８と、コネクタ用電線カバー（以下、単に電線カバーという）１３とを備えている。なお、以下、図１中の矢印Ｘを幅方向、矢印Ｘと直交し図示しない印刷配線板の表面に平行な矢印Ｙを長手方向、矢印Ｘ，Ｙ双方と直交する矢印Ｚを厚み方向とする。
【００４７】
カバー６は、絶縁性の合成樹脂からなり、図１に示すように、プレート状則ち平板状に形成されている。カバー６には、相手側のコネクタ２と嵌合するロック部材９が取り付けられている。カバー６には、プレート状ハウジング７と係止するための係止部１０が設けられている。
【００４８】
プレート状ハウジング７は、図示例では一対設けられている。プレート状ハウジング７は、絶縁性の合成樹脂からなり、図１に示すように、プレート状則ち平板状に形成されている。プレート状ハウジング７は、圧接端子８を収容する複数の端子収容溝１５と、プレート状ハウジング７同士やカバー６と固定するための係止部１１とを備えている。
【００４９】
前述したカバー６と、プレート状ハウジング７とは、互いに平行に重なり、かつ、係止部１０，１１が互いに係止することで、合体する。合体した状態で、カバー６とプレート状ハウジング７とは、コネクタハウジング４に嵌合するコネクタハウジング１２を構成する。
【００５０】
また、コネクタハウジング１２則ちカバー６とプレート状ハウジング７とは、互いに合体すると、あたかも一体となるフランジ１４ａ，１４ｂを備えている。フランジ１４ａ，１４ｂは、コネクタハウジング１２の圧接端子８に圧接される後述する電線１９が導出する側の端部に設けられている。フランジ１４ａ，１４ｂは、コネクタハウジング１２を構成するカバー６及びプレート状ハウジング７の前述した端部の全周から前述した幅方向Ｘと厚み方向Ｚとに沿って、コネクタハウジング１２の外周に向かって延びている。
【００５１】
このため、カバー６及び図１中下方に位置する一方のプレート状ハウジング７から矢印Ｚに沿って突出したフランジ１４ａ，１４ｂは、圧接端子８の長手方向Ｙに対し直交（交差）する前述した幅方向Ｘに沿って直線状に延びている。
【００５２】
圧接端子８は、導電性の板金などからなる。圧接端子８は、図１に示すように、電気接触部１６と、電線接続部１７と、一対の係止ばね片１８を一体に備えている。電気接触部１６は、コネクタハウジング４，１２同士が嵌合すると、端子金具５の一端部と電気的及び機械的に接続する。電線接続部１７には、電線１９（図３などに示す）が圧接する（電気的及び機械的に接続する）。電線１９は、導電性の芯線と、該芯線を被覆した絶縁性の被覆部とを備えた所謂被覆電線である。係止ばね片１８は、端子収容溝１５の内面に係止する。
【００５３】
電線カバー１３は、図１ないし図５に示すように、カバー本体２０と、カバー部２１とを一体に備えている。カバー本体２０は、図５などに示すように、本体部２２と、取付部２３と、電線逃がし部２４と、補強リブ２５と、バンド取付部としての孔３６などを備えている。
【００５４】
本体部２２は、断面コ字状の箱状に形成されている。取付部２３は、図５中の手前側に位置する本体部２２の一端部に設けられている。取付部２３は、本体部２２の前述した一端部の外殻に沿って形成されており、図５及び図８に示すように、互いに平行な一対の平行部２６と、該平行部２６の一端部同士を連結する連結部２７とを一体に備えて、コ字状に形成されている。平行部２６は、その長手方向が前述した圧接端子８の長手方向Ｙに対し直交（交差）する幅方向Ｘに沿って配される。平行部２６は、前記連結部２７より長い。
【００５５】
一対の平行部２６と連結部２７の内面には、該内面から凹の溝２８（図５中には、一方の平行部２６に形成された溝２８のみ示す）が形成されている。溝２８内には、前述したフランジ１４ａ，１４ｂが侵入可能である。平行部２６の内面に形成された溝２８は、平行部２６の長手方向則ち前述した幅方向Ｘに沿って直線状に延びている。
【００５６】
取付部２３は、一対の平行部２６間にコネクタハウジング１２を位置付けて、連結部２７を幅方向Ｘに沿ってコネクタハウジング１２に近づける。そして、取付部２３は、溝２８内にフランジ１４ａ，１４ｂを順に挿入して、幅方向Ｘに沿ってコネクタハウジング１２に対しスライドする。そして、取付部２３は、連結部２７の内面に設けられた溝２８内にフランジ１４ａ，１４ｂを位置付けて、カバー本体２０をコネクタハウジング１２に取り付ける。
【００５７】
電線逃がし部２４は、本体部２２の他端部に設けられている。電線逃がし部２４は、前述した幅方向Ｘに沿って延びた樋状に形成されている。電線逃がし部２４は、図６に示すように、樋状の電線案内部２９と、一対の内縁突起３０と、一対の係止突起３１（図７に示す）とを備えている。電線案内部２９は、前述した幅方向Ｘに直交（交差）する断面形状がＵ字状に形成されている。電線案内部２９は、底部が取付部２３寄りに配されている。
【００５８】
一対の内縁突起３０は、電線案内部２９の互いに相対する一対の内縁部３２（図６に示す）から互いに近づく方向に突出している。則ち、内縁突起３０間の間隔は、電線案内部２９の互いに相対する一対の内縁部３２間の間隔より狭い。また、一対の内縁突起３０の互いに最も近づく（相対する）頂部３３は、図６に示すように、曲面状に形成されている。
【００５９】
前述した一対の内縁突起３０は、互いに相対する方向に対し直交する方向（図２及び図６などの矢印Ｋ）に沿って、互いの間に複数の電線１９則ち電線束（図６及び図７中に点線で示す）が通される。一対の内縁突起３０は、互いの間に複数の電線１９が通されることで、電線１９を電線逃がし部２４の電線案内部２９内に位置付ける。なお、前記矢印Ｋは、電線１９を電線案内部２９内に挿入する方向をなしている。
【００６０】
さらに、図６に示すように、内縁突起３０より電線逃がし部２４の内側（前記矢印Ｋの下流側）に位置する第１の傾斜面３４と、内縁突起３０より電線逃がし部２４の外側（前記矢印Ｋの上流側）に位置する第２の傾斜面３５と、が設けられている。第１の傾斜面３４及び第２の傾斜面３５は、それぞれ、前記頂部３３と内縁部３２とに連なる。第１の傾斜面３４は、第２の傾斜面３５より前記矢印Ｋに対する傾きが大きい。則ち、第１の傾斜面３４は、第２の傾斜面３５より前記矢印Ｋに対し傾いている。
【００６１】
また、係止突起３１は、図７に示すように、前記内縁突起３０より前記電線カバー１３が取り付けられるコネクタハウジング１２側に設けられている。係止突起３１は、前記内縁部３２から互いに近づく方向に突出している。
【００６２】
前述した電線逃がし部２４は、内縁突起３０間を通して複数の電線１９が挿入されることで、該複数の電線１９を束ねてカバー本体２０外則ち電線カバー１３外に導く。
【００６３】
補強リブ２５は、図４に示すように、前記本体部２２から凸に形成され、一端が前記電線逃がし部２４の電線案内部２９に連なり、他端が取付部２３に連なっている。図示例では、補強リブ２５は、一対設けられている。これら一対の補強リブ２５は、互いに平行である。
【００６４】
孔３６は、補強リブ２５を貫通している。孔３６は、前記電線逃がし部２４の電線案内部２９の外周に設けられている。孔３６は、内側に電線逃がし部２４の電線案内部２９に複数の電線１９を結束するバンド３７（図１１中に二点鎖線で示す）が挿入される。孔３６は、バンド３７が挿入されることで、該バンド３７を取り付ける。
【００６５】
また、前記カバー本体２０の後述するヒンジ４０寄りの端部２０ａには、図６ないし図１０に示すように、取付部２３から電線逃がし部２４に亘って、支え突起３８が設けられている。支え突起３８は、本体部２２からコネクタハウジング１２の幅方向Ｘに沿って突出している。支え突起３８は、カバー部２１の後述する一対のカバー３９が互いに閉じて、該カバー３９がコネクタハウジング１２に取り付けられると、カバー３９のヒンジ４０寄りの端部３９ａと当接する。このとき、カバー３９のヒンジ４０寄りの端部３９ａは、支え突起３８より電線カバー１３の外側に位置する。このため、支え突起３８は、カバー３９のヒンジ４０寄りの端部３９ａを支えることとなる。
【００６６】
カバー部２１は、図９及び図１０などに示すように、一対のカバー３９を備えている。これらのカバー３９は、ヒンジ４０を介してカバー本体２０に連結されている（連なっている）。一対のカバー３９は、ヒンジ４０を中心として、回転自在である。一対のカバー３９は、ヒンジ４０を中心として回転すると、前記ヒンジ４０から離れた側の端部３９ｂが、互いに接離する。ヒンジ４０は、前記カバー本体２０の取付部２３の平行部２６の連結部２７から離れた側の端に連なる本体部２２の縁に連なっている。
【００６７】
一対のカバー３９は、互いに係止する係止部４１を、前記ヒンジ４０から離れた側の端部３９ｂに設けている。一対のカバー３９は、取付部２３にコネクタハウジング１２が取り付けられた状態で、係止部４１が互いに係止すると、前記コネクタハウジング１２の電線１９が導出する側の端部を覆う。一対のカバー３９は、取付部２３にコネクタハウジング１２が取り付けられた状態で、係止部４１が互いに係止することで、コネクタハウジング１２に取り付けられる。
【００６８】
さらに、一対のカバー３９は、取付部２３にコネクタハウジング１２が取り付けられた状態で、係止部４１が互いに係止すると、図７に示すように、ヒンジ４０寄りの端部３９ａが前記電線逃がし部２４の電線案内部２９内に侵入する。そして、一対のカバー３９は、図６及び図７に示すように、電線案内部２９とともに複数の電線１９則ち電線束（図６及び図７中に点線で示す）の外周を覆う。こうして、カバー部２１は、コネクタハウジング１２に取り付けられると、カバー本体２０と共に複数の電線１９の外周を覆う。
【００６９】
また、一対のカバー３９には、それぞれ、係止部４１が互いに係止すると、前記フランジ１４ａ，１４ｂが侵入する溝４２（図３などに示す）と、係止受け突起４３（図７に示す）と、が設けられている。係止受け突起４３は、カバー３９のヒンジ４０寄りの端部３９ａに設けられている。則ち、係止受け突起４３は、カバー３９の電線案内部２９内に侵入する端部３９ａに設けられている。
【００７０】
係止受け突起４３は、図９及び図１０に示すように、一対のカバー３９の係止部４１同士の係止が解除された状態で、カバー３９の前述した端部３９ａから電線カバー１３の外方向に向かって凸に形成されている。さらに、係止受け突起４３は、取付部２３がコネクタハウジング１２に取り付けられかつ係止部４１同士が係止すると、図７に示すように、前述したカバー本体２０の係止突起３１と互いに係止する。
【００７１】
前述した構成のコネクタ１は、それぞれのプレート状ハウジング７の端子収容溝１５に圧接端子８を収容し、該圧接端子８に電線１９を圧接する。そして、カバー６と、二つのプレート状ハウジング７とを重ねて、係止部１０，１１により、これらを互いに固定する。すると、図３に示すように、コネクタハウジング１２の前述した端部から電線１９が導出している。
【００７２】
そして、前記幅方向Ｘに沿って、電線カバー１３をコネクタハウジング１２に近づけて、前記取付部２３の溝２８内にフランジ１４ａ，１４ｂを挿入する。このとき、カバー部２１の一対のカバー３９の係止部４１は、互いに係止していない。さらに、孔３６内にバンド３７を通しておく。こうして、図２及び図３に示すように、取付部２３をコネクタハウジング１２に取り付ける。なお、図２では、圧接端子８に取り付けられた電線１９を省略している。
【００７３】
そして、図２中の矢印Ｋに沿って、電線逃がし部２４の一対の内縁突起３０間に複数の電線１９を圧入する。そして、図３に示すように、複数の電線１９を電線逃がし部２４の電線案内部２９内に位置付ける。その後、ヒンジ４０を中心として、一対のカバー３９を回転して、該カバー３９の係止部４１同士を互いに係止する。溝４２にフランジ１４ａ，１４ｂを挿入して、コネクタハウジング１２にカバー部２１のカバ−３９則ち電線カバー１３を取り付ける。すると、電線カバー１３は、複数の電線１９則ち電線束の外周を覆い、電線逃がし部２４を通して、複数の電線１９則ち電線束を電線カバー１３外に導く。さらに、バンド３７で電線逃がし部２４の電線案内部２９内に通された複数の電線１９を結束する。こうして、図４に示すように、電線カバー１３をコネクタハウジング１２に取り付ける。このように、前述した構成のコネクタ１が組み立てられる。
【００７４】
本実施形態によれば、電線１９を電線カバー１３外に逃がす樋状の電線逃がし部２４が、カバー本体２０に設けられている。このため、電線逃がし部２４が複数の部材により分割されていない。これにより、電線１９などから電線逃がし部２４が押圧されても、カバー本体２０則ち電線カバー１３がコネクタハウジング１２に取り付けられたままとなる。したがって、カバー本体２０則ち電線カバー１３がコネクタハウジング１２から脱落することを防止できる。
【００７５】
電線１９を電線逃がし部２４の電線案内部２９に出し入れする際に互いの間に電線１９が通される内縁突起３０の頂部３３が曲面に形成されている。このため、電線１９を内縁突起３０間に通す際に、則ち、電線１９を電線案内部２９内に挿入する際に、電線１９が内縁突起３０に接触しても、該電線１９が傷つくことを防止できる。したがって、電線１９の不意な破損を防止できる。
【００７６】
電線逃がし部２４の内側に位置する第１の傾斜面３４が外側に位置する第２の傾斜面３５より、矢印Ｋに対し傾いているので、電線案内部２９に挿入された電線１９が、内縁突起３０間を通って、電線逃がし部２４外に抜け出ることを防止できる。したがって、電線カバー１３をコネクタハウジング１２に取り付ける際に、電線１９がカバー３９の係止部４１同士を係止する作業の妨げになることを防止できる。
【００７７】
また、第２の傾斜面３５が、第１の傾斜面３４より矢印Ｋに対し傾いていないので、内縁突起３０間を通して電線１９を電線逃がし部２４の電線案内部２９内に挿入し易くなっている。したがって、電線カバー１３をコネクタハウジング１２に容易に取り付けることができる。
【００７８】
カバー部２１のカバー３９の係止部４１同士を係止して、該カバー３９をコネクタハウジング１２に取り付けると、該カバー３９が電線逃がし部２４とともに電線１９の外周を覆う。このため、カバー部２１のカバー３９をコネクタハウジング１２に取り付けると、電線１９が電線逃がし部２４内から抜け出ることを防止できる。
【００７９】
カバー３９の係止部４１同士を係止して、カバー部２１をコネクタハウジング１２に取り付けると、カバー本体２０に設けられた支え突起３８にカバー３９が重なる。このため、カバー３９同士が必要以上に近づくことを防止できる。これにより、コネクタハウジング１２に取り付けられた時の電線カバー１３の過度な変形を防止できる。したがって、電線カバー１３が、コネクタハウジング１２に取り付けられた際に変形して、コネクタハウジング１２から不意に脱落することを防止できる。
【００８０】
取付部２３が平行部２６と連結部２７とを備えてコ字状に形成されており、コネクタハウジング１２内の圧接端子８の長手方向Ｙに直交（交差）する幅方向Ｘに沿ってスライドすることでカバー本体２０をコネクタハウジング１２に取り付ける。取付部２３がコ字状に形成されているので、取付部２３則ちカバー本体２０を確実にコネクタハウジング１２に取り付けることができる。
【００８１】
平行部２６が連結部２７より長いので、取付部２３則ちカバー本体２０をより確実にコネクタハウジング１２に取り付けることができるとともに、コネクタハウジング１２に取り付けられたカバー本体２０が不意に脱落することを確実に防止できる。
【００８２】
また、コネクタハウジング１２内の圧接端子８の長手方向Ｙに直交（交差）する幅方向Ｘに沿ってスライドすることで電線カバー１３のカバー本体２０をコネクタハウジング１２に取り付ける。このため、電線逃がし部２４から図４中の手前側に電線１９を逃がすように、電線カバー１３をコネクタハウジング１２に取り付けることができるとともに、電線逃がし部２４から図１２中の奥側に電線１９を逃がすように、電線カバー１３をコネクタハウジング１２に取り付けることができる。
【００８３】
カバー本体２０が電線逃がし部２４と取付部２３とに連なる補強リブ２５を備えている。このため、カバー本体２０の剛性を高めることができる。これにより、カバー本体２０の過度な変形を防止して、カバー本体２０則ち電線カバー１３がコネクタハウジング１２から不意に脱落する事を防止できる。
【００８４】
電線逃がし部２４の外周にバンド３７を取り付ける孔３６を設けている。このため、バンド３７をカバー本体２０に取り付けたままカバー本体２０則ち電線カバー１３をコネクタハウジング１２に着脱できる。このため、バンド３７により電線逃がし部２４の電線案内部２９に通された複数の電線１９を容易に結束できる。また、バンド３７を取り付ける孔３６を補強リブ２５に設けているので、電線カバー１３の小型化を図ることができる。
【００８５】
前述した実施形態では、端子金具として、電線１９と圧接する圧接端子８を示している。さらに、前記圧接端子８は、所謂雌形の端子金具となっている。しかしながら、本発明では、端子金具として、電線１９を加締める加締め片を複数備えた所謂圧着端子を用いても良く、雄形の端子金具を用いても良い。
【００８６】
また、前述した実施形態では、コネクタハウジング１２は、カバー６と一対のプレート状ハウジング７とで構成されている。しかしながら、本発明では、コネクタハウジング１２は、箱形でかつ一体の雄形のコネクタハウジングでも良く、筒状でかつ一体の雌形のコネクタハウジングでも良い。
【００８７】
さらに、前述した実施形態では、一対のカバー３９は、ヒンジ４０を介してカバー本体２０に回転自在に連結している。しかしながら、本発明では、一対のカバー３９同士がヒンジ４０を介して互いに回転自在に連結し、一方のカバー３９がヒンジ４０を介してカバー本体２０に回転自在に連結し、他方のカバー３９がカバー本体４０に係止するようにしても良い。又、前述した実施形態では、孔３６を補強リブ２５に設けている。しかしながら、本発明では、孔３６を補強リブ２５に設けなくても良い。また、本発明では、孔３６と補強リブ２５とを設けなくても良い。
【００８８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８９】
【図１】本発明の一実施形態にかかるコネクタを分解して示す斜視図である。
【図２】図１に示されたコネクタのコネクタハウジングに電線カバーのカバー本体を取り付けた状態を示す斜視図である。
【図３】図２に示された電線カバーの電線逃がし部の電線案内部内に複数の電線を通した状態を示す斜視図である。
【図４】図３に示された電線カバーのカバー部のカバーの係止部を互いに係止した状態を示す斜視図である。
【図５】図１に示されたコネクタの電線カバーのカバー部のカバーの係止部を互いに係止した状態を示す斜視図である。
【図６】図５中の矢印ＶＩ方向からみた電線カバーの側面図である。
【図７】図５中のＶＩＩ−ＶＩＩ線に沿う断面図である。
【図８】図５中の矢印ＶＩＩＩ方向からみた電線カバーの側面図である。
【図９】図６に示された電線カバーのカバーの係止部の係止を解除した状態を示す側面図である。
【図１０】図８に示された電線カバーのカバーの係止部の係止を解除した状態を示す側面図である。
【図１１】図１０に示された電線カバーの孔にバンドを通した状態を示す斜視図である。
【図１２】図３に示された電線カバーのカバー部のカバーの係止部を互いに係止した他の状態を示す斜視図である。
【符号の説明】
【００９０】
１  コネクタ
８  圧接端子（端子金具）
１２  コネクタハウジング
１３  コネクタ用電線カバー
１９  電線
２０  カバー本体
２０ａ  ヒンジ寄りの端部
２１  カバー部
２３  取付部
２４  電線逃がし部
２５  補強リブ
２６  平行部
２７  連結部
２９  電線案内部
３０  内縁突起
３１  係止突起
３２  内縁部
３３  頂部
３４  第１の傾斜面
３５  第２の傾斜面
３６  孔（バンド取付部）
３７  バンド
３８  支え突起
３９  カバー
３９ａ  ヒンジ寄りの端部（電線案内部に侵入する端部）
４０  ヒンジ
４３  係止受け突起
Ｙ  端子金具の長手方向
Ｘ  幅方向
Ｋ  内縁突起間に電線を挿入する方向
【図１】
2006073326.tif 000003
【図２】
2006073326.tif 000004
【図３】
2006073326.tif 000005
【図４】
2006073326.tif 000006
【図５】
2006073326.tif 000007
【図６】
2006073326.tif 000008
【図７】
2006073326.tif 000009
【図８】
2006073326.tif 000010
【図９】
2006073326.tif 000011
【図１０】
2006073326.tif 000012
【図１１】
2006073326.tif 000013
【図１２】
2006073326.tif 000014